(57)【要約】  【課題】振動周期とモータ回転周期との同期をとらなくても、簡単な手段によって挟み込みの誤判定を防止できる窓開閉制御装置を提供する。  【解決手段】加速度センサが所定値以上の加速度を検出していない場合は、回転速度検出部８１が検出した速度値は、ローパスフィルタ８４を通らずにそのまま変化量算出部８３へ与えられる。変化量算出部８３はこの速度値を用いて速度の変化量を算出し、挟み込み判定部８５はこの変化量と閾値とを比較して挟み込みを判定する。加速度センサ７が所定値以上の加速度を検出した場合は、回転速度検出部８１が検出した速度値は、ローパスフィルタ８４で高周波成分が除去されて小さな値に変更された後、変化量算出部８３へ与えられる。変化量算出部８３はこの小さくなった速度値を用いて速度の変化量を算出し、挟み込み判定部８５はこの変化量と閾値とを比較して挟み込みを判定する。【選択図】  図５
2007009573.tif 000002
【特許請求の範囲】
【請求項１】
開閉体を開閉するためのモータの回転速度を検出する検出手段と、
前記検出手段で検出された回転速度の変化量を算出する算出手段と、
前記算出手段で算出された変化量に基づき、前記開閉体に異物が挟み込まれたか否かを判定する判定手段と、
前記判定手段の判定結果に応じて前記モータを制御する制御手段と、
前記開閉体に加わる加速度を検出する加速度センサと、
を有する開閉制御装置において、
前記検出手段で検出された回転速度の値を変更して当該速度値を小さくするか、または、前記算出手段で算出された回転速度の変化量を変更して当該変化量を小さくする変更処理手段を備え、
前記判定手段は、前記加速度センサが所定値以上の加速度を検出した場合に、前記変更処理手段により変更された速度値から前記算出手段が算出した第１の変化量、または、前記変更処理手段により変更された第２の変化量に基づいて、挟み込みの判定を行なうことを特徴とする開閉制御装置。
【請求項２】
請求項１に記載の開閉制御装置において、
前記検出手段は、モータの回転速度に代えて、開閉体の移動量を検出し、
前記算出手段は、回転速度の変化量に代えて、前記移動量の変化量を算出し、
前記変更処理手段は、前記検出手段で検出された移動量の値を変更して当該移動量を小さくするか、または、前記算出手段で算出された移動量の変化量を変更して当該変化量を小さくし、
前記判定手段は、前記加速度センサが所定値以上の加速度を検出した場合に、前記変更処理手段により変更された移動量から前記算出手段が算出した第１の変化量、または、前記変更処理手段により変更された第２の変化量に基づいて、挟み込みの判定を行なうことを特徴とする開閉制御装置。
【請求項３】
請求項１または請求項２に記載の開閉制御装置において、
前記変更処理手段は、前記検出手段の検出値または前記算出手段で算出された変化量の高周波成分を除去するローパスフィルタから構成されていることを特徴とする開閉制御装置。
【発明の詳細な説明】
【技術分野】
【０００１】
本発明は、車両などの窓を開閉制御する開閉制御装置に関するものである。
【背景技術】
【０００２】
自動車に用いられる窓開閉制御装置（以下、「パワーウィンドウ装置」という。）は、スイッチの操作によりモータを正転または逆転させてドアの窓ガラスを昇降させ、窓を開閉する装置である。図１は、パワーウィンドウ装置の電気的構成を示したブロック図である。１は窓の開閉を操作するための操作スイッチ、２はモータ３を駆動するモータ駆動回路、４はモータ３の回転に同期したパルスを出力するロータリエンコーダ、５はロータリエンコーダ４から出力されるパルスを検出するパルス検出回路、６はＲＯＭやＲＡＭ等から構成されるメモリ、７は車体に加わる振動や衝撃による加速度を検出する加速度センサ、８は窓の開閉動作を制御するＣＰＵからなる制御部である。
【０００３】
操作スイッチ１を操作すると、制御部８に窓開閉指令が与えられ、モータ駆動回路２によりモータ３が正転または逆転する。モータ３の回転により、モータ３と連動する窓開閉機構が作動して窓の開閉が行われる。パルス検出回路５はロータリエンコーダ４から出力されるパルスを検出し、制御部８はこの検出結果に基づき窓の開閉量やモータ速度を算出して、モータ駆動回路２を介してモータ３の回転を制御する。
【０００４】
図２は、操作スイッチ１の一例を示した概略構成図である。操作スイッチ１は、軸Ｑを中心としてａｂ方向に回転可能な操作ノブ１１と、この操作ノブ１１と一体に設けられたロッド１２と、公知のスライドスイッチ１３とから構成される。１４はスライドスイッチ１３のアクチュエータ、２０は操作スイッチ１が組み込まれるスイッチユニットのカバーである。ロッド１２の下端は、スライドスイッチ１３のアクチュエータ１４と係合しており、操作ノブ１１がａｂ方向に回転すると、ロッド１２を介してアクチュエータ１４がｃｄ方向に移動し、その移動位置に応じてスライドスイッチ１３の接点（図示省略）が切り換えられる。
【０００５】
操作ノブ１１は、オート閉ＡＣ、マニュアル閉ＭＣ、中立Ｎ、マニュアル開ＭＯ、オート開ＡＯの各位置へ切換可能となっている。図２は、操作ノブ１１が中立Ｎの位置にある状態を示している。この位置から操作ノブ１１をａ方向に一定量回転させて、マニュアル閉ＭＣの位置にすると、マニュアル動作で窓が閉じるマニュアル閉動作が行われ、この位置よりさらにａ方向に操作ノブ１１を回転させてオート閉ＡＣの位置にすると、オート動作で窓が閉じるオート閉動作が行われる。また、操作ノブ１１を中立Ｎの位置からｂ方向に一定量回転させて、マニュアル開ＭＯの位置にすると、マニュアル動作で窓が開くマニュアル開動作が行われ、この位置よりさらにｂ方向に操作ノブ１１を回転させてオート開ＡＯの位置にすると、オート動作で窓が開くオート開動作が行われる。操作ノブ１１には、図示しないバネが設けられており、回転した操作ノブ１１から手を離すと、操作ノブ１１はバネの力により中立Ｎの位置に復帰する。
【０００６】
マニュアル動作の場合は、操作ノブ１１がマニュアル閉ＭＣまたはマニュアル開ＭＯの位置に手で保持され続ける間だけ、窓を閉じる動作または開ける動作が行われ、操作ノブ１１から手を離してノブが中立Ｎの位置に復帰すると、窓の閉動作または開動作は停止する。一方、オート動作の場合は、一旦、操作ノブ１１がオート閉ＡＣまたはオート開ＡＯの位置まで回転されると、その後は操作ノブ１１から手を離してノブが中立Ｎの位置に復帰しても、窓の閉動作または開動作が継続して行われる。
【０００７】
図３は、車両の各窓に設けられる窓開閉機構の一例を示した図である。１００は自動車の窓、１０１は窓１００を開閉する窓ガラス、１０２は窓開閉機構である。窓ガラス１０１は、窓開閉機構１０２の作動により昇降動作を行い、窓ガラス１０１の上昇により窓１００が閉じ、窓ガラス１０１の下降により窓１００が開く。窓開閉機構１０２において、１０３は窓ガラス１０１の下端に取り付けられた支持部材である。１０４は一端が支持部材１０３に係合され、他端がブラケット１０６に回転可能に支持された第１アーム、１０５は一端が支持部材１０３に係合され、他端がガイド部材１０７に係合された第２アームである。第１アーム１０４と第２アーム１０５とは、それぞれの中間部において軸を介して連結されている。３は前述のモータ、４は前述のロータリエンコーダである。ロータリエンコーダ４はモータ３の回転軸に連結されており、モータ３の回転量に比例した数のパルスを出力する。所定時間内にロータリエンコーダ４から出力されるパルスを計数することにより、モータ３の回転速度を検出することができる。また、ロータリエンコーダ４の出力から、モータ３の回転量（窓ガラス１０１の移動量）を算出することができる。
【０００８】
１０９はモータ３により回転駆動されるピニオン、１１０はピニオン１０９と噛合して回転する扇形のギヤである。ギヤ１１０は、第１アーム１０４に固定されている。モータ３は正逆方向に回転可能であり、正逆方向への回転によりピニオン１０９およびギヤ１１０を回転させて、第１アーム１０４を正逆方向へ回動させる。これに追随して、第２アーム１０５の他端がガイド部材１０７の溝に沿って横方向にスライドし、支持部材１０３が上下方向に移動して窓ガラス１０１を昇降させ、窓１００を開閉する。
【０００９】
以上のようなパワーウィンドウ装置において、操作ノブ１１が図２のオート閉ＡＣの位置にあってオート閉動作が行われる場合は、物体の挟み込みを検出する機能が備わっている。すなわち、図４に示したように、窓１００が閉まる途中で窓ガラス１０１の隙間に物体Ｚが挟み込まれた場合、これを検知して窓１００の閉動作を停止したり、開動作へ切り換えるようになっている。オート閉動作中は窓１００が自動的に閉じるため、誤って手や首などが挟まれた場合に、閉動作を禁止して人体に危害が加わるのを防止する必要性から、このような挟み込み検出機能が設けられる。挟み込みの検出にあたっては、パルス検出回路５の出力であるモータ３の回転速度を制御部８が随時読み込み、現在の回転速度と以前の回転速度とを比較して、その比較結果に基づいて挟み込みの有無を判定する。窓１００に物体Ｚの挟み込みが発生すると、モータ３の負荷が増大して回転速度が低下するため、速度の変動量が大きくなり、この速度変動量が所定の閾値を超えたときに、物体Ｚが挟み込まれたと判定する。閾値はメモリ６にあらかじめ記憶されている。
【００１０】
ところで、モータ３の回転速度の変動は、異物の挟み込みだけではなく、ドアを閉じたときの振動や悪路を走行したときの振動などによっても発生する。そして、このような振動により回転速度が変動すると、異物が挟み込まれていないにもかかわらず、異物が挟み込まれたと誤判定して窓が開いてしまうことが起こりうる。
【００１１】
この対策として、下記の特許文献１では、窓ガラスに加わる加速度を検出する加速度センサを設け、この加速度センサが検出した加速度に基づいて、当該加速度の発生に伴って生ずるモータ負荷を加算した判定値（閾値）を演算し、この判定値を用いて挟み込み判定を行なうことで、加速度による負荷の影響を除去して誤判定を防止するようにしたパワーウィンドウ装置が提案されている。加速度センサで加速度を検出することにより、挟み込みの判定条件を変更して誤判定を防止する技術は、特許文献２や特許文献３にも記載されている。
【特許文献１】特開平９−２２４３８８号公報
【特許文献２】特開平７−２９３１１３号公報
【特許文献３】特開２００２−１４４８６４号公報
【発明の開示】
【発明が解決しようとする課題】
【００１２】
上述したような加速度センサは、ドアを閉じたときや悪路を走行したときに発生する窓ガラスの振動に基づいて加速度を検出する。したがって、特許文献１のパワーウィンドウ装置において、加速度による負荷の影響を除去するためには、振動の周期とモータの回転周期（パルス周期）との間で同期がとれていることが必要となる。しかしながら、振動の態様は千差万別であることから、振動が発生した場合にモータの回転数がどのように変化するかはケースバイケースであり、例えば、振動が発生してからモータの回転数が変化するまでの時間なども、そのときの状況に応じて変化する。したがって、振動周期とモータ回転周期との同期をとることは極めて困難であり、加速度に基因する負荷の影響を除去することができずに、挟み込みの誤判定が生じる場合がある。また、特許文献１の方法によると、判定値を求めるにあたって複雑な演算処理が必要となる。このような問題に対する対策については、特許文献２および特許文献３にも記載がない。
【００１３】
そこで、本発明の課題は、振動周期とモータ回転周期との同期をとらなくても、簡単な手段によって挟み込みの誤判定を防止できる窓開閉制御装置を提供することにある。
【課題を解決するための手段】
【００１４】
本発明では、開閉体を開閉するためのモータの回転速度を検出する検出手段と、この検出手段で検出された回転速度の変化量を算出する算出手段と、この算出手段で算出された変化量に基づき、開閉体に異物が挟み込まれたか否かを判定する判定手段と、この判定手段の判定結果に応じて前記モータを制御する制御手段と、  開閉体に加わる加速度を検出する加速度センサとを有する開閉制御装置において、  検出手段で検出された回転速度の値を変更して当該速度値を小さくするか、または、算出手段で算出された回転速度の変化量を変更して当該変化量を小さくする変更処理手段を設ける。そして、判定手段は、加速度センサが所定値以上の加速度を検出した場合に、変更処理手段により変更された速度値から算出手段が算出した第１の変化量、または、変更処理手段により変更された第２の変化量に基づいて挟み込みの判定を行なう。
【００１５】
モータの回転速度は、モータの回転に同期して発生するパルスの一定時間内の数を計数することで検出してもよいし、当該パルスの周期を測定することにより検出してもよい。回転速度の変化量は、現在の回転速度と過去の回転速度との差であってもよいし、過去の回転速度に対する現在の回転速度の変動率であってもよい。挟み込みが検出された場合のモータの制御方法としては、モータを逆転させて窓を開いてもよいし、モータを停止させて窓が閉じるのを禁止してもよい。あるいは、一旦モータを停止させて窓が閉じるのを禁止した後、モータを逆転させて窓を開いてもよい。
【００１６】
本発明では、所定値以上の加速度が加わった場合に、検出された回転速度の値を小さくしたり、算出された回転速度の変化量を小さくしたりする処理を行なっているので、ドアを閉じたときや悪路を走行したときなどに発生する振動に基因してモータの速度が大きく変動しても、挟み込み判定に用いる速度変化量は小さな値となり、閾値を超えることがない。このため、振動周期とモータ回転周期との同期をとらなくても、また、判定値（閾値）を求めるために複雑な演算処理を行なわなくても、挟み込みの誤判定を防止することができる。
【００１７】
また、加速度が検出されない通常の場合には、速度値や変化量の変更が行なわれず、加速度が検出された場合のみ速度値や変化量が変更されるので、前者の場合と後者の場合とで速度値や変化量の差が顕著となって閾値による判別がしやすくなり、挟み込みの誤判定をより確実に防止することができる。
【００１８】
本発明では、モータの回転速度を検出する代わりに、開閉体の移動量を検出することによっても、同様の機能を得ることができる。この場合、検出手段は、モータの回転速度に代えて開閉体の移動量を検出し、算出手段は、回転速度の変化量に代えて上記移動量の変化量を算出する。また、変更処理手段は、検出手段で検出された移動量の値を変更して当該移動量を小さくするか、または、算出手段で算出された移動量の変化量を変更して当該変化量を小さくする。そして、判定手段は、加速度センサが所定値以上の加速度を検出した場合に、変更処理手段により変更された移動量から算出手段が算出した第１の変化量、または、変更処理手段により変更された第２の変化量に基づいて、挟み込みの判定を行なう。
【００１９】
本発明において、変更処理手段は、検出手段の検出値または算出手段で算出された変化量の高周波成分を除去するローパスフィルタから構成することができる。ローパスフィルタを用いると、複雑な処理をしなくても、回転速度や速度変化量を小さくする処理を簡単に行なうことができる利点がある。
【発明の効果】
【００２０】
本発明によれば、振動周期とモータ回転周期との同期をとらなくても、簡単な手段によって振動による挟み込みの誤判定を防止することが可能となる。
【発明を実施するための最良の形態】
【００２１】
次に、本発明の実施形態につき図を参照して説明する。以下では、背景技術の項で説明した図１〜図４を本発明の実施形態として引用する。図１は、本発明の実施形態であるパワーウィンドウ装置の電気的構成を示したブロック図である。制御部８は、本発明における制御手段を構成している。図２は、操作スイッチの一例を示した概略構成図である。図３は、車両の各窓に設けられる窓開閉機構の一例を示した図である。図４は、図３において窓に物体が挟み込まれた状態を示す図である。これらの各図についてはすでに説明済みなので、ここでは重複説明を省略する。
【００２２】
図５は、本発明の第１実施形態における挟み込み検出ブロックを示している。この挟み込み検出ブロックは、制御部８に備わるものであって、ここでは、便宜上ハードウェアの回路として図示してあるが、実際には各回路の機能はソフトウェアによって実現される。勿論、ハードウェア回路により挟み込み検出ブロックを構成してもよい。後述する第２実施形態以下の実施形態においても同様である。
【００２３】
図５において、８１は、モータ３の回転速度を検出する回転速度検出部であって、図１のパルス検出回路５から出力されるパルスの数や周期を計数することによって、回転速度を検出する。この回転速度検出部８１は、本発明における検出手段を構成している。８２は切替スイッチであって、回転速度検出部８１の出力を、変化量算出部８３側とローパスフィルタ８４側とに切り替えて出力する。変化量算出部８３は、回転速度検出部８１の出力またはローパスフィルタ８４の出力に基づいて、回転速度の変化量を算出する。この変化量算出部８３は、本発明における算出手段を構成している。ローパスフィルタ８４は、デジタルフィルタからなり、回転速度検出部８１の出力（速度値）に含まれている高周波成分を除去して、速度値を小さくする処理を行なう。このローパスフィルタ８４は、本発明における変更処理手段を構成している。挟み込み判定部８５は、変化量算出部８３から出力される速度変化量と、メモリ６（図１）に記憶されている所定の閾値とを比較し、速度変化量が閾値以上か否かによって挟み込みがあったか否かを判定し、挟み込みの有無に応じた制御信号をモータ駆動回路２へ出力する。この挟み込み判定部８５は、本発明における判定手段を構成している。
【００２４】
切替スイッチ８２は、加速度センサ７の出力により切り替えられる。加速度センサ７が所定値以上の加速度を検出していない通常の状態においては、切替スイッチ８２の接点は実線位置にあり、回転速度検出部８１の出力は、切替スイッチ８２を介して、そのまま変化量算出部８３へ与えられる。変化量算出部８３では、回転速度検出部８１で検出された速度値に基づいて、モータ３の回転速度の変化量（例えば、現在の速度値と一定時間以上前の過去の速度値との差）を算出する。一方、加速度センサ７が所定値以上の加速度を検出した場合は、加速度センサ７の出力により、切替スイッチ８２の接点が破線位置に切り替わる。これによって、回転速度検出部８１の出力は、切替スイッチ８２を介してローパスフィルタ８４へ与えられる。ローパスフィルタ８４では、前述のように、回転速度検出部８１で検出された速度値を小さくする処理が行なわれ、この小さくなった速度値が変化量算出部８３へ与えられる。変化量算出部８３では、ローパスフィルタ８４から出力された速度値に基づき、速度の変化量（本発明における第１の変化量）を同様に算出する。
【００２５】
図６（ａ）は、加速度センサ７の出力波形の例を示しており、加速度は図のような振動波形となる。図６（ｂ）は、上記加速度に基因するモータ３の回転速度の変化を示しており、実線は、ローパスフィルタ８４を通さない場合の速度値である。回転速度は加速度の発生からＴの期間だけ遅れて変動を開始している。破線は、ローパスフィルタ８４を通した場合の速度値である。このように、ローパスフィルタ８４を通すことによって、回転速度の高周波成分が除去され、速度値は小さくなる。
【００２６】
図５で説明したように、加速度センサ７が所定値以上の加速度を検出していない場合は、回転速度検出部８１の出力はローパスフィルタ８４を通らずに変化量算出部８３へ与えられるので、変化量算出部８３は、回転速度検出部８１で検出された速度値を用いて回転速度の変化量を算出し、挟み込み判定部８５は、この変化量と閾値とを比較して挟み込みを判定する。一方、加速度センサ７が所定値以上の加速度を検出した場合は、回転速度検出部８１の出力はローパスフィルタ８４を通って変化量算出部８３へ与えられるので、変化量算出部８３は、ローパスフィルタ８４から出力される速度値を用いて回転速度の変化量を算出する。この場合、ローパスフィルタ８４から出力される速度値は、図６（ｂ）の破線のように小さいので、変化量算出部８３で算出される速度の変化量も小さな値となる。挟み込み判定部８５は、この変化量と閾値とを比較して挟み込みを判定する。
【００２７】
したがって、加速度が加わった場合は、その加速度がかなり大きいものであっても、回転速度の変化量が小さく抑えられるため、閾値を適切に設定することにより、変化量が閾値を超えることがなく、これによって、加速度による回転速度の変動を挟み込みと誤判定するのを回避することができる。また、加速度がない場合は、回転速度の変化量が小さくならないので、異物の挟み込みがあった際には変化量が閾値を超え、これによって、本来の挟み込みを正確に検出することができる。
【００２８】
図７は、パワーウィンドウ装置の基本的な動作を示したフローチャートである。このフローチャートは、各実施形態に共通している。ステップＳ１で、操作スイッチ１がマニュアル閉ＭＣの位置にあれば、マニュアル閉動作の処理が行われ（ステップＳ２）、ステップＳ３で、操作スイッチ１がオート閉ＡＣの位置にあれば、オート閉動作の処理が行われ（ステップＳ４）、ステップＳ５で、操作スイッチ１がマニュアル開ＭＯの位置にあれば、マニュアル開動作の処理が行われ（ステップＳ６）、ステップＳ７で、操作スイッチ１がオート開ＡＯの位置にあれば、オート開動作の処理が行われる（ステップＳ８）。また、ステップＳ７で、操作スイッチ１がオート開ＡＯの位置になければ、操作スイッチ１は中立Ｎの位置にあって、何も処理を行わない。ステップＳ２、Ｓ４、Ｓ６、Ｓ８の詳細については、以下に順を追って説明する。
【００２９】
図８および図９は、第１実施形態の動作を示したフローチャートである。図８は、図７のステップＳ２におけるマニュアル閉動作の詳細手順を表しており、図９は、図７のステップＳ４におけるオート閉動作の詳細手順を表している。
【００３０】
まず、図８のマニュアル閉動作の手順について説明する。この手順は、制御部８を構成するＣＰＵにより実行される。最初に、マニュアル閉動作により窓１００が完全に閉じたか否かをロータリエンコーダ４の出力に基づいて判定する（ステップＳ１１）。窓１００が完全に閉じれば（ステップＳ１１：ＹＥＳ）処理を終了し、完全に閉じてなければ（ステップＳ１１：ＮＯ）、モータ駆動回路２から正転信号を出力してモータ３を正転させ、窓１００を閉じる（ステップＳ１２）。続いて、窓１００が完全に閉じたか否かを判定し（ステップＳ１３）、完全に閉じれば（ステップＳ１３：ＹＥＳ）処理を終了し、完全に閉じてなければ（ステップＳ１３：ＮＯ）、加速度センサ７が所定値以上の加速度を検出したか否かを判定する（ステップＳ１４）。
【００３１】
ステップＳ１４において、加速度センサ７が所定値以上の加速度を検出していない場合は（ステップＳ１４：ＮＯ）、ステップＳ１６へ移行し、挟み込みを検出したか否かを判定する。この判定は、ローパスフィルタ８４を通さない通常の速度値から得られる回転速度の変化量と、所定の閾値とを比較することにより行なう。
【００３２】
ステップＳ１４において、加速度センサ７が所定値以上の加速度を検出した場合は（ステップＳ１４：ＹＥＳ）、回転速度検出部８１で検出された回転速度をローパスフィルタ８４に通し（ステップＳ１５）、高周波成分を除去することによって、当該速度値を小さくする。その後、ステップＳ１６へ移行して、挟み込みを検出したか否かを判定する。この判定は、ステップＳ１５において変更された速度値から得られる回転速度の変化量と、所定の閾値とを比較することにより行なうが、この場合は前述のように、回転速度の変化量が小さく閾値を超えないので、挟み込みがあったと誤判定することはない。
【００３３】
ステップＳ１６において、図４で示したような物体Ｚの挟み込みがあった場合は（ステップＳ１６：ＹＥＳ）、モータ駆動回路２から逆転信号を出力してモータ３を逆転させ、窓１００を開く（ステップＳ１７）。これによって、挟み込みが解除される。そして、窓１００が完全に開いたか否かを判定し（ステップＳ１８）、完全に開けば（ステップＳ１８：ＹＥＳ）処理を終了し、完全に開いてなければ（ステップＳ１８：ＮＯ）、ステップＳ１７へ戻ってモータ３の逆転を継続する。
【００３４】
ステップＳ１６で挟み込みが検出されなかった場合は（ステップＳ１６：ＮＯ）、操作スイッチ１がマニュアル閉ＭＣの位置にあるか否かを判定する（ステップＳ１９）。操作スイッチ１がマニュアル閉ＭＣの位置にあれば（ステップＳ１９：ＹＥＳ）、ステップＳ１２へ戻ってモータ３の正転を継続し、マニュアル閉ＭＣの位置になければ（ステップＳ１９：ＮＯ）、オート閉ＡＣの位置にあるか否かを判定する（ステップＳ２０）。操作スイッチ１がオート閉ＡＣの位置にあれば（ステップＳ２０：ＹＥＳ）、後述（図９）のオート閉処理に移り（ステップＳ２１）、オート閉ＡＣの位置になければ（ステップＳ２０：ＮＯ）、マニュアル開ＭＯの位置にあるか否かを判定する（ステップＳ２２）。操作スイッチ１がマニュアル開ＭＯの位置にあれば（ステップＳ２２：ＹＥＳ）、後述（図１０）のマニュアル開処理に移り（ステップＳ２３）、マニュアル開ＭＯの位置になければ（ステップＳ２２：ＮＯ）、オート開ＡＯの位置にあるか否かを判定する（ステップＳ２４）。操作スイッチ１がオート開ＡＯの位置にあれば（ステップＳ２４：ＹＥＳ）、後述（図１１）のオート開処理に移り（ステップＳ２５）、操作スイッチ１がオート開ＡＯの位置になければ（ステップＳ２４：ＮＯ）、何も処理せずに終了する。
【００３５】
次に、図９のオート閉動作の手順について説明する。この手順は、制御部８を構成するＣＰＵにより実行される。最初に、オート閉動作により窓１００が完全に閉じたか否かをロータリエンコーダ４の出力に基づいて判定する（ステップＳ３１）。窓１００が完全に閉じれば（ステップＳ３１：ＹＥＳ）処理を終了し、完全に閉じてなければ（ステップＳ３１：ＮＯ）、モータ駆動回路２へ正転信号を出力してモータ３を正転させ、窓１００を閉じる（ステップＳ３２）。続いて、窓１００が完全に閉じたか否かを判定し（ステップＳ３３）、完全に閉じれば（ステップＳ３３：ＹＥＳ）処理を終了し、完全に閉じてなければ（ステップＳ３３：ＮＯ）、加速度センサ７が所定値以上の加速度を検出したか否かを判定する（ステップＳ３４）。
【００３６】
ステップＳ３４において、加速度センサ７が所定値以上の加速度を検出していない場合は（ステップＳ３４：ＮＯ）、ステップＳ３６へ移行し、挟み込みを検出したか否かを判定する。この判定は、ローパスフィルタ８４を通さない通常の速度値から得られる回転速度の変化量と、所定の閾値とを比較することにより行なう。
【００３７】
ステップＳ３４において、加速度センサ７が所定値以上の加速度を検出した場合は（ステップＳ３４：ＹＥＳ）、回転速度検出部８１で検出された回転速度をローパスフィルタ８４に通し（ステップＳ３５）、高周波成分を除去することによって、当該速度値を小さくする。その後、ステップＳ３６へ移行して、挟み込みを検出したか否かを判定する。この判定は、ステップＳ３５において変更された速度値から得られる回転速度の変化量と、所定の閾値とを比較することにより行なうが、この場合も、回転速度の変化量が小さく閾値を超えないので、挟み込みがあったと誤判定することはない。
【００３８】
ステップＳ３６において、図４で示したような物体Ｚの挟み込みがあった場合は（ステップＳ３６：ＹＥＳ）、モータ駆動回路２から逆転信号を出力してモータ３を逆転させ、窓１００を開く（ステップＳ３７）。これによって、挟み込みが解除される。そして、窓１００が完全に開いたか否かを判定し（ステップＳ３８）、完全に開けば（ステップＳ３８：ＹＥＳ）処理を終了し、完全に開いてなければ（ステップＳ３８：ＮＯ）、ステップＳ３７へ戻ってモータ３の逆転を継続する。
【００３９】
ステップＳ３６で挟み込みが検出されなかった場合は（ステップＳ３６：ＮＯ）、操作スイッチ１がマニュアル開ＭＯの位置にあるか否かを判定する（ステップＳ３９）。操作スイッチ１がマニュアル開ＭＯの位置にあれば（ステップＳ３９：ＹＥＳ）、後述（図１０）のマニュアル開処理に移り（ステップＳ４０）、マニュアル開ＭＯの位置になければ（ステップＳ３９：ＮＯ）、オート開ＡＯの位置にあるか否かを判定する（ステップＳ４１）。操作スイッチ１がオート開ＡＯの位置にあれば（ステップＳ４１：ＹＥＳ）、後述（図１１）のオート開処理に移り（ステップＳ４２）、操作スイッチ１がオート開ＡＯの位置になければ（ステップＳ４１：ＮＯ）、ステップＳ３２へ戻ってモータ３の正転を継続する。
【００４０】
このようにして、第１実施形態においては、検出された回転速度の値をローパスフィルタ８４に通して小さくする処理を行なっているので、ドアを閉じたときや悪路を走行したときなどに発生する振動に基因してモータ３の速度が大きく変動しても、挟み込み判定に用いる速度変化量は小さな値となり、閾値を超えることがない。このため、振動周期とモータ回転周期との同期をとらなくても、挟み込みの誤判定を防止することができる。また、加速度センサ７で所定値以上の加速度を検出した場合にのみ、回転速度の値をローパスフィルタ８４に通すようにしているので、加速度が検出されない場合と加速度が検出された場合とで速度値の差が顕著となって閾値による判別がしやすくなり、挟み込みの誤判定をより確実に防止することができる。さらに、ローパスフィルタ８４を用いたことで、複雑な演算処理をしなくても、速度値を小さくする処理を簡単に行なうことができる。
【００４１】
図１０は、マニュアル開処理（図７のステップＳ６）の詳細手順を表したフローチャート、図１１は、オート開処理（図７のステップＳ８）の詳細手順を表したフローチャートである。各手順は、制御部８を構成するＣＰＵにより実行され、各実施形態に共通のものである。これらは、いずれも本発明の特徴とするところではないが、以下に一通り説明しておく。
【００４２】
図１０のマニュアル開処理においては、最初に、マニュアル開動作により窓１００が完全に開いたか否かをロータリエンコーダ４の出力に基づいて判定する（ステップＳ５１）。窓１００が完全に開けば（ステップＳ５１：ＹＥＳ）処理を終了し、完全に開いてなければ（ステップＳ５１：ＮＯ）、モータ駆動回路２から逆転信号を出力してモータ３を逆転させ、窓１００を開ける（ステップＳ５２）。続いて、窓１００が完全に開いたか否かを判定し（ステップＳ５３）、完全に開けば（ステップＳ５３：ＹＥＳ）処理を終了し、完全に開いてなければ（ステップＳ５３：ＮＯ）、操作スイッチ１がマニュアル開ＭＯの位置にあるか否かを判定する（ステップＳ５４）。操作スイッチ１がマニュアル開ＭＯの位置にあれば（ステップＳ５４：ＹＥＳ）、ステップＳ５２へ戻ってモータ３の逆転を継続し、マニュアル開ＭＯの位置になければ（ステップＳ５４：ＮＯ）、オート開ＡＯの位置にあるか否かを判定する（ステップＳ５５）。操作スイッチ１がオート開ＡＯの位置にあれば（ステップＳ５５：ＹＥＳ）、後述（図１１）のオート開処理に移り（ステップＳ５６）、オート開ＡＯの位置になければ（ステップＳ５５：ＮＯ）、マニュアル閉ＭＣの位置にあるか否かを判定する（ステップＳ５７）。操作スイッチ１がマニュアル閉ＭＣの位置にあれば（ステップＳ５７：ＹＥＳ）、前述（図８）のマニュアル閉処理に移り（ステップＳ５８）、マニュアル閉ＭＣの位置になければ（ステップＳ５７：ＮＯ）、オート閉ＡＣの位置にあるか否かを判定する（ステップＳ５９）。操作スイッチ１がオート閉ＡＣの位置にあれば（ステップＳ５９：ＹＥＳ）、前述（図９）のオート閉処理に移り（ステップＳ６０）、操作スイッチ１がオート閉ＡＣの位置になければ（ステップＳ５９：ＮＯ）、何も処理せずに終了する。
【００４３】
次に、図１１のオート開処理においては、最初に、オート開動作により窓１００が完全に開いたか否かをロータリエンコーダ４の出力に基づいて判定する（ステップＳ７１）。窓１００が完全に開けば（ステップＳ７１：ＹＥＳ）処理を終了し、完全に開いてなければ（ステップＳ７１：ＮＯ）、モータ駆動回路２から逆転信号を出力してモータ３を逆転させ、窓１００を開ける（ステップＳ７２）。続いて、窓１００が完全に開いたか否かを判定し（ステップＳ７３）、完全に開けば（ステップＳ７３：ＹＥＳ）処理を終了し、完全に開いてなければ（ステップＳ７３：ＮＯ）、操作スイッチ１がマニュアル閉ＭＣの位置にあるか否かを判定する（ステップＳ７４）。操作スイッチ１がマニュアル閉ＭＣの位置にあれば（ステップＳ７４：ＹＥＳ）、前述（図８）のマニュアル閉処理に移り（ステップＳ７５）、マニュアル閉ＭＣの位置になければ（ステップＳ７４：ＮＯ）、オート閉ＡＣの位置にあるか否かを判定する（ステップＳ７６）。操作スイッチ１がオート閉ＡＣの位置にあれば（ステップＳ７６：ＹＥＳ）、前述（図９）のオート閉処理に移り（ステップＳ７７）、操作スイッチ１がオート閉ＡＣの位置になければ（ステップＳ７６：ＮＯ）、ステップＳ７２へ戻って、モータ３の逆転を継続する。
【００４４】
図１２は、本発明の第２実施形態における挟み込み検出ブロックを示している。図１２において、図５と同一部分には同一符号を付してある。図５においては、回転速度検出部８１の出力（速度値）をローパスフィルタ８４へ与えるようにしたが、図１２においては、変化量算出部８３の出力（変動量）をローパスフィルタ８４へ与えるようにしている。
【００４５】
加速度センサ７が所定値以上の加速度を検出していない通常の状態においては、切替スイッチ８２の接点は実線位置にあり、変化量算出部８３の出力は、切替スイッチ８２を介して、そのまま挟み込み判定部８５へ与えられる。挟み込み判定部８５は、この変化量と閾値とを比較して挟み込みを判定する。一方、加速度センサ７が所定値以上の加速度を検出した場合は、切替スイッチ８２の接点が破線位置に切り替わり、変化量算出部８３の出力は、切替スイッチ８２を介して、ローパスフィルタ８４へ与えられる。ローパスフィルタ８４では、変化量算出部８３で算出された回転速度の変化量の高周波成分を除去することによって、変化量の値を小さくする処理が行なわれ、この小さくなった変化量（本発明における第２の変化量）が挟み込み判定部８５へ与えられる。挟み込み判定部８５は、この変化量と閾値とを比較して挟み込みを判定する。
【００４６】
したがって、加速度が加わった場合は、その加速度がかなり大きいものであっても、回転速度の変化量が小さく抑えられるため、閾値を適切に設定することにより、変化量が閾値を超えることがなく、これによって、加速度による回転速度の変動を挟み込みと誤判定するのを回避することができる。また、加速度がない場合は、回転速度の変化量が小さくならないので、異物の挟み込みがあった際には変化量が閾値を超え、これによって、本来の挟み込みを正確に検出することができる。
【００４７】
図１３および図１４は、第２実施形態の動作を示したフローチャートである。図１３は、図７のステップＳ２におけるマニュアル閉動作の詳細手順を表しており、図１４は、図７のステップＳ４におけるオート閉動作の詳細手順を表している。
【００４８】
図１３のフローチャートは、図８のステップＳ１５において回転速度をローパスフィルタ８４に通すことに代えて、回転速度の変化量をローパスフィルタ８４に通すようにしている点（ステップＳ１５ａ）が図８と異なるだけであり、その他の点については図８と全く同じであるので、図８と同一の処理を行なうステップには同一符号を付して、各ステップに関する説明は省略する。
【００４９】
また、図１４のフローチャートも、図９のステップＳ３５において回転速度をローパスフィルタ８４に通すことに代えて、回転速度の変化量をローパスフィルタ８４に通すようにしている点（ステップＳ３５ａ）が図９と異なるだけであり、その他の点については図９と全く同じであるので、図９と同一の処理を行なうステップには同一符号を付して、各ステップに関する説明は省略する。
【００５０】
図１５は、本発明の第３実施形態における挟み込み検出ブロックを示している。図１５において、図５と同一部分には同一符号を付してある。図５においては、回転速度検出部８１の出力をローパスフィルタ８４へ与えるようにしたが、図１５においては、回転速度検出部８１に代えて移動量検出部８１ａを設け、この移動量検出部８１ａの出力をローパスフィルタ８４へ与えるようにしている。移動量検出部８１ａは、パルス検出回路５からのパルスに基づいて、窓ガラス１０１の移動量（移動した距離）を検出する。異物の挟み込みがあってモータ３にかかる負荷が増大すると、モータ３により駆動される窓ガラス１０１の移動量が減少し、移動量の変化が大きくなるので、回転速度の変化量を検出する場合と同様の原理により、窓ガラス移動量の変化から挟み込みを検出することができる。また、窓ガラス１０１の移動量は、加速度が加わることによっても変動する。
【００５１】
加速度センサ７が所定値以上の加速度を検出していない通常の状態においては、切替スイッチ８２の接点は実線位置にあり、移動量検出部８１ａの出力は、切替スイッチ８２を介して、そのまま変化量算出部８３へ与えられる。変化量算出部８３は、移動量検出部８１ａで検出された窓ガラス１０１の移動量に基づいて移動量の変化量を算出し、挟み込み判定部８５は、この変化量と閾値とを比較して挟み込みを判定する。一方、加速度センサ７が所定値以上の加速度を検出した場合は、切替スイッチ８２の接点が破線位置に切り替わり、移動量検出部８１ａの出力は、切替スイッチ８２を介して、ローパスフィルタ８４へ与えられる。ローパスフィルタ８４では、移動量検出部８１ａで検出された窓ガラス移動量の高周波成分を除去することによって、移動量の値を小さくする処理が行なわれ、この小さくなった移動量が変化量算出部８３へ与えられる。変化量算出部８３は、この移動量に基づき、窓ガラス１０１の移動量の変化量（本発明における第１の変化量）を同様に算出する。ローパスフィルタ８４から出力される移動量が小さいことから、変化量算出部８３で算出される変化量も小さな値となる。挟み込み判定部８５は、この変化量と閾値とを比較して挟み込みを判定する。
【００５２】
したがって、加速度が加わった場合は、その加速度がかなり大きいものであっても、窓ガラス移動量の変化量が小さく抑えられるため、閾値を適切に設定することにより、変化量が閾値を超えることがなく、これによって、加速度による窓ガラス移動量の変動を挟み込みと誤判定するのを回避することができる。また、加速度がない場合は、窓ガラス移動量の変化量が小さくならないので、異物の挟み込みがあった際には変化量が閾値を超え、これによって、本来の挟み込みを正確に検出することができる。
【００５３】
図１６および図１７は、第３実施形態の動作を示したフローチャートである。図１６は、図７のステップＳ２におけるマニュアル閉動作の詳細手順を表しており、図１７は、図７のステップＳ４におけるオート閉動作の詳細手順を表している。
【００５４】
図１６のフローチャートは、図８のステップＳ１５において回転速度をローパスフィルタ８４に通すことに代えて、窓ガラス移動量をローパスフィルタ８４に通すようにしている点（ステップＳ１５ｂ）が図８と異なるだけであり、その他の点については図８と全く同じであるので、図８と同一の処理を行なうステップには同一符号を付して、各ステップに関する説明は省略する。
【００５５】
また、図１７のフローチャートも、図９のステップＳ３５において回転速度をローパスフィルタ８４に通すことに代えて、窓ガラス移動量をローパスフィルタ８４に通すようにしている点（ステップＳ３５ｂ）が図９と異なるだけであり、その他の点については図９と全く同じであるので、図９と同一の処理を行なうステップには同一符号を付して、各ステップに関する説明は省略する。
【００５６】
図１８は、本発明の第４実施形態における挟み込み検出ブロックを示している。図１８において、図１５と同一部分には同一符号を付してある。図１５においては、移動量検出部８１ａの出力をローパスフィルタ８４へ与えるようにしたが、図１８においては、変化量算出部８３の出力をローパスフィルタ８４へ与えるようにしている。変化量算出部８３は、移動量検出部８１ａで検出された窓ガラス１０１の移動量に基づいて、移動量の変化量を算出する。
【００５７】
加速度センサ７が所定値以上の加速度を検出していない通常の状態においては、切替スイッチ８２の接点は実線位置にあり、変化量算出部８３の出力は、切替スイッチ８２を介して、そのまま挟み込み判定部８５へ与えられる。挟み込み判定部８５は、この変化量と閾値とを比較して挟み込みを判定する。一方、加速度センサ７が所定値以上の加速度を検出した場合は、切替スイッチ８２の接点が破線位置に切り替わり、変化量算出部８３の出力は、切替スイッチ８２を介して、ローパスフィルタ８４へ与えられる。ローパスフィルタ８４では、変化量算出部８３で算出された窓ガラス移動量の変化量の高周波成分を除去することによって、変化量の値を小さくする処理が行なわれ、この小さくなった変化量（本発明における第２の変化量）が挟み込み判定部８５へ与えられる。挟み込み判定部８５は、この変化量と閾値とを比較して挟み込みを判定する。
【００５８】
したがって、加速度が加わった場合は、その加速度がかなり大きいものであっても、窓ガラス移動量の変化量が小さく抑えられるため、閾値を適切に設定することにより、変化量が閾値を超えることがなく、これによって、加速度による窓ガラス移動量の変動を挟み込みと誤判定するのを回避することができる。また、加速度がない場合は、窓ガラス移動量の変化量が小さくならないので、異物の挟み込みがあった際には変化量が閾値を超え、これによって、本来の挟み込みを正確に検出することができる。
【００５９】
図１９および図２０は、第４実施形態の動作を示したフローチャートである。図１９は、図７のステップＳ２におけるマニュアル閉動作の詳細手順を表しており、図２０は、図７のステップＳ４におけるオート閉動作の詳細手順を表している。
【００６０】
図１９のフローチャートは、図１６のステップＳ１５ｂにおいて窓ガラス移動量をローパスフィルタ８４に通すことに代えて、窓ガラス移動量の変化量をローパスフィルタ８４に通すようにしている点（ステップＳ１５ｃ）が図１６と異なるだけであり、その他の点については図１６と全く同じであるので、図１６と同一の処理を行なうステップには同一符号を付して、各ステップに関する説明は省略する。
【００６１】
また、図２０のフローチャートも、図１７のステップＳ３５ｂにおいて窓ガラス移動量をローパスフィルタ８４に通すことに代えて、窓ガラス移動量の変化量をローパスフィルタ８４に通すようにしている点（ステップＳ３５ｃ）が図１７と異なるだけであり、その他の点については図１７と全く同じであるので、図１７と同一の処理を行なうステップには同一符号を付して、各ステップに関する説明は省略する。
【００６２】
以上述べた実施形態では、本発明を車両のドアの窓を開閉制御する装置に適用した場合を例に挙げたが、本発明はこれ以外にも、車両の天井のサンルーフ、車両の後部扉、建物の窓、建物の扉・戸など各種の開閉体を開閉制御する装置に適用することができる。
【図面の簡単な説明】
【００６３】
【図１】本発明の実施形態であるパワーウィンドウ装置の電気的構成を示したブロック図である。
【図２】操作スイッチの一例を示した概略構成図である。
【図３】窓開閉機構の一例を示した図である。
【図４】窓に物体が挟み込まれた状態を示す図である。
【図５】本発明の第１実施形態における挟み込み検出ブロックを示す図である。
【図６】加速度センサの出力波形とモータの回転速度の変化を示す図である。
【図７】パワーウィンドウ装置の基本的な動作を示したフローチャートである。
【図８】第１実施形態におけるマニュアル閉処理の詳細手順を表したフローチャートである。
【図９】第１実施形態におけるオート閉処理の詳細手順を表したフローチャートである。
【図１０】マニュアル開処理の詳細手順を表したフローチャートである。
【図１１】オート開処理の詳細手順を表したフローチャートである。
【図１２】本発明の第２実施形態における挟み込み検出ブロックを示す図である。
【図１３】第２実施形態におけるマニュアル閉処理の詳細手順を表したフローチャートである。
【図１４】第２実施形態におけるオート閉処理の詳細手順を表したフローチャートである。
【図１５】本発明の第３実施形態における挟み込み検出ブロックを示す図である。
【図１６】第３実施形態におけるマニュアル閉処理の詳細手順を表したフローチャートである。
【図１７】第３実施形態におけるオート閉処理の詳細手順を表したフローチャートである。
【図１８】本発明の第４実施形態における挟み込み検出ブロックを示す図である。
【図１９】第４実施形態におけるマニュアル閉処理の詳細手順を表したフローチャートである。
【図２０】第４実施形態におけるオート閉処理の詳細手順を表したフローチャートである。
【符号の説明】
【００６４】
１  操作スイッチ
２  モータ駆動回路
３  モータ
４  ロータリエンコーダ
５  パルス検出回路
６  メモリ
７  加速度センサ
８  制御部
８１  回転速度検出部
８１ａ  移動量検出部
８２  切替スイッチ
８３  変化量算出部
８４  ローパスフィルタ
８５  挟み込み判定部
１００  窓
１０１  窓ガラス
１０２  窓開閉機構
Ｚ  物体
【図１】
2007009573.tif 000003
【図２】
2007009573.tif 000004
【図３】
2007009573.tif 000005
【図４】
2007009573.tif 000006
【図５】
2007009573.tif 000007
【図６】
2007009573.tif 000008
【図７】
2007009573.tif 000009
【図８】
2007009573.tif 000010
【図９】
2007009573.tif 000011
【図１０】
2007009573.tif 000012
【図１１】
2007009573.tif 000013
【図１２】
2007009573.tif 000014
【図１３】
2007009573.tif 000015
【図１４】
2007009573.tif 000016
【図１５】
2007009573.tif 000017
【図１６】
2007009573.tif 000018
【図１７】
2007009573.tif 000019
【図１８】
2007009573.tif 000020
【図１９】
2007009573.tif 000021
【図２０】
2007009573.tif 000022